(57)【要約】【課題】車載用再生装置又はＵＳＢハブの仕様に関わらず、複数の外部メディアを所望の順序で再生することを可能とする車載用再生システムを提供する。【解決手段】外部メディアを挿着するためのＵＳＢポート３ａ〜３ｄを備え、外部メディアを電気的に接続するための中継を行うＵＳＢハブ３と、ＵＳＢ端子７と、ユーザの操作により優先して再生する外部メディアの種類を設定するための操作部６と、外部メディアのタグ情報のヘッダを解析することによりＵＳＢポート３ａ〜３ｄのそれぞれに挿着された外部メディアの種類を判別し、操作部６における設定に基づきＵＳＢポート３ａ〜３ｄに挿着された外部メディアの再生優先度を決定して、最も再生優先度の高い外部メディアが挿着されたＵＳＢポート３ａ〜３ｄから優先して音声データを読み出して再生する制御部４と、を備えて構成される車載用再生装置２と、設けた。【選択図】図１
2007179632.tif 000002
【特許請求の範囲】
【請求項１】
外部メディアを挿着するための複数のＵＳＢポートを備え、前記外部メディアを電気的に接続するための中継を行うＵＳＢハブと、
前記ＵＳＢハブを電気的に接続するためのＵＳＢ端子と、ユーザの操作により優先して再生する外部メディアの種類を設定するための操作部と、前記ＵＳＢポートに挿着された前記外部メディアのタグ情報のヘッダを解析することにより前記ＵＳＢポートのそれぞれに挿着された前記外部メディアの種類を判別し、前記操作部における設定に基づき前記ＵＳＢポートに挿着された前記外部メディアの再生優先度を決定して、最も再生優先度の高い前記外部メディアが挿着された前記ＵＳＢポートから優先して音声データを読み出して再生する制御部と、を備えて構成される車載用再生装置と、
を備えることを特徴とする車載用再生システム。
【請求項２】
前記制御部は、前記ＵＳＢポートに挿着された前記外部メディアの再生優先度が同じである場合は、再生処理中の前記外部メディアを優先して継続再生することを特徴とする請求項１記載の車載用再生システム。
【請求項３】
前記操作部は前記ＵＳＢポートに新たに挿着された外部メディアの再生優先度を設定できるように構成されており、前記制御部は前記操作部における設定に従い、新たに挿着された外部メディア又は再生中の前記外部メディアのいずれかの再生処理を優先的に行うことを特徴とする請求項１又は請求項２記載の車載用再生システム。
【請求項４】
前記制御部は、前記ＵＳＢポートに新たな外部メディアが挿着された場合は、その再生優先度に関わらず、新たに挿着された前記外部メディアの再生処理を自動的に行うことを特徴とする請求項１又は請求項２記載の車載用再生システム。
【請求項５】
前記制御部は、前記ＵＳＢポートに新たな外部メディアが挿着された場合でも、再生処理中の前記外部メディアを優先して自動的に継続再生することを特徴とする請求項１又は請求項２記載の車載用再生システム。
【請求項６】
前記制御部は、前記ＵＳＢポートに新たな外部メディアが挿着された場合に、再生処理中の前記外部メディアと比較して再生優先度が高いと判断したときは、新たに挿着された前記外部メディアの再生処理を自動的に行うことを特徴とする請求項１又は請求項２記載の車載用再生システム。
【請求項７】
前記操作部の操作により前記外部メディアの再生優先度を設定するための設定画面を表示する表示部を備え、前記操作部はユーザが再生を希望する前記外部メディアの種類を限定できるように構成されており、前記制御部は前記操作部からの操作信号に基づき、前記表示部の設定画面においてユーザが再生を希望する前記外部メディアのみを選択できるように表示を変更することを特徴とする請求項１〜請求項６いずれか一項に記載の車載用再生システム。
【請求項８】
前記制御部は、前記外部メディアの再生処理を行う際に、前記外部メディアに格納された音声データが音声再生可能なデータであるか否かを解析し、その結果、音声再生不可能なデータであった場合はその旨を報知する報知処理を行うことを特徴とする請求項１〜請求項７いずれか一項に記載の車載用再生システム。
【発明の詳細な説明】
【技術分野】
【０００１】
本発明は車載用再生システムに関する。
【背景技術】
【０００２】
従来から、車載用再生装置として車載用ＣＤ・ＭＤプレーヤーなどが使用されている。このようなＣＤなどに格納された音声データを再生する再生装置として、再生装置にパーソナルコンピュータを接続することにより、多様な音声データを再生することを可能とする再生装置が提案されている。
【０００３】
例えば、特許文献１には、所定の記録データを格納すると共にこの記録データを読み出して出力するコンピュータ装置と、ＵＳＢケーブルなどによってコンピュータ装置に接続可能にされると共に、コンピュータ装置から出力された記録データを再生する再生装置とを備えたデータ再生システムが記載されている。
【０００４】
また、再生装置がインターネットやパーソナルコンピュータとの接続が不可能な環境下にある場合に、多様な音声データの再生処理を可能とするため、音声データが格納されたＵＳＢメモリなどの外部メディアを接続して音声データの読み出し及び再生処理を行う再生装置が提案されている。
【０００５】
更に、近年ではＳＤカードやＵＳＢメモリなど多様な外部メディアが開発されていることから、複数の外部メディアを電気的に接続するための中継を行うＵＳＢハブをＵＳＢ端子に接続して使用する車載用再生装置が提案されている。
【０００６】
例えば、図７に示すように、車載用再生システム１２が備えるＵＳＢ端子１７にＵＳＢハブ１３を接続し、ＵＳＢハブ１３に設けられたＵＳＢポート１３ａ〜１３ｄにＵＳＢメモリ、ポータブルＨＤＤ、ＳＤカード及びメモリスティックをそれぞれ挿着した車載用再生システム１２が知られている。
【特許文献１】特開２００３−２１６２８９号公報
【発明の開示】
【発明が解決しようとする課題】
【０００７】
しかしながら、上記の車載用再生システム１２では、ＵＳＢポート１３ａ〜１３ｄに挿着された外部メディアの再生優先度は、車載用再生システム１２又はＵＳＢハブ１３の仕様に依存していた。
【０００８】
例えば、図７の車載用再生システム１２が、ＵＳＢポート１３ａ〜１３ｄへの挿着が認識された順番によって外部メディアからの再生処理を行う仕様であった場合、最初に認識されたのがＵＳＢポート１３ｄに挿着されたＳＤカード、次に認識されたのがＵＳＢポート１３ａに挿着されたＵＳＢメモリ、最後に認識されたのがＵＳＢポート１３ｃに挿着されたメモリスティックであれば、ＳＤカード、ＵＳＢメモリ、メモリスティックの順序で優先的に音声データの再生処理が行われていた。
【０００９】
このように再生優先度が車載用再生システム１２又はＵＳＢハブ１３の仕様に依存すると、ＵＳＢポート１３ａ〜１３ｄに複数の外部メディアを挿着した場合に、ユーザにとっては音声データが再生されるまで優先して再生処理が行われる外部メディアを把握することができないという問題があった。
【００１０】
また、所望の外部メディアの再生処理を優先させるためには、再生対象となる外部メディアを随時切り替える必要があり、更に、ユーザ自身の物理的な接続処理では、「ＨＤＤを優先して再生する」、「フラッシュメモリを優先して再生する」、「携帯の充電器は認識しなくてよい」などの設定内容を実現することができないという問題があった。
【００１１】
また、所定の外部メディアの再生処理を優先する仕様のＵＳＢハブを使用した後に、再生処理の再生優先度が異なる他の仕様のＵＳＢハブを使用して再生処理を行うと、所望の順序で再生処理が行われない場合があるという問題があった。また、この場合もユーザにとっては再生処理が行われるまで優先して再生される外部メディアを把握することができないという問題があった。
【００１２】
また、例えば、ＵＳＢハブ１３に多数のＵＳＢポートＡ〜Ｚが設けられており、ＵＳＢポートＡ、ＵＳＢポートＢ、ＵＳＢポートＣ…の順序で再生処理が行われる場合に、ポータブルＨＤＤを再生したいときは、ユーザ自身がＵＳＢポートＡ〜Ｚに挿着された外部メディアの種類を認識した上で、ポータブルＨＤＤが挿着されたＵＳＢポートを探す必要があった。
【００１３】
本発明は前記事情に鑑みてなされたものであり、その目的とするところは、車載用再生装置及びＵＳＢハブを備えた車載用再生システムにおいて、車載用再生装置又はＵＳＢハブの仕様に関わらず、ＵＳＢハブに挿着された複数の外部メディアを所望の順序で再生することを可能とする車載用再生システムを提供することにある。
【課題を解決するための手段】
【００１４】
前記課題を解決するために請求項１に記載の発明は、車載用再生システムであって、外部メディアを挿着するための複数のＵＳＢポートを備え、前記外部メディアを電気的に接続するための中継を行うＵＳＢハブと、前記ＵＳＢハブを電気的に接続するためのＵＳＢ端子と、ユーザの操作により優先して再生する外部メディアの種類を設定するための操作部と、前記ＵＳＢポートに挿着された前記外部メディアのタグ情報のヘッダを解析することにより前記ＵＳＢポートのそれぞれに挿着された前記外部メディアの種類を判別し、前記操作部における設定に基づき前記ＵＳＢポートに挿着された前記外部メディアの再生優先度を決定して、最も再生優先度の高い前記外部メディアが挿着された前記ＵＳＢポートから優先して音声データを読み出して再生する制御部と、を備えて構成される車載用再生装置と、を備えることを特徴とする。
【００１５】
請求項２記載の発明は、請求項１記載の車載用再生システムであって、前記制御部は、前記ＵＳＢポートに挿着された前記外部メディアの再生優先度が同じである場合は、再生処理中の前記外部メディアを優先して継続再生することを特徴とする。
【００１６】
請求項３記載の発明は、請求項１又は請求項２記載の車載用再生システムであって、前記操作部は前記ＵＳＢポートに新たに挿着された外部メディアの再生優先度を設定できるように構成されており、前記制御部は前記操作部における設定に従い、新たに挿着された外部メディア又は再生中の前記外部メディアのいずれかの再生処理を優先的に行うことを特徴とする。
【００１７】
請求項４記載の発明は、請求項１又は請求項２記載の車載用再生システムであって、前記制御部は、前記ＵＳＢポートに新たな外部メディアが挿着された場合は、その再生優先度に関わらず、新たに挿着された前記外部メディアの再生処理を自動的に行うことを特徴とする。
【００１８】
請求項５記載の発明は、請求項１又は請求項２記載の車載用再生システムであって、前記制御部は、前記ＵＳＢポートに新たな外部メディアが挿着された場合でも、再生処理中の前記外部メディアを優先して自動的に継続再生することを特徴とする。
【００１９】
請求項６記載の発明は、請求項１又は請求項２記載の車載用再生システムであって、前記制御部は、前記ＵＳＢポートに新たな外部メディアが挿着された場合に、再生処理中の前記外部メディアと比較して再生優先度が高いと判断したときは、新たに挿着された前記外部メディアの再生処理を自動的に行うことを特徴とする。
【００２０】
請求項７記載の発明は、請求項１〜請求項６いずれか一項に記載の車載用再生システムであって、前記操作部の操作により前記外部メディアの再生優先度を設定するための設定画面を表示する表示部を備え、前記操作部はユーザが再生を希望する前記外部メディアの種類を限定できるように構成されており、前記制御部は前記操作部からの操作信号に基づき、前記表示部の設定画面においてユーザが再生を希望する前記外部メディアのみを選択できるように表示を変更することを特徴とする。
【００２１】
請求項８記載の発明は、請求項１〜請求項７いずれか一項に記載の車載用再生システムであって、前記制御部は、前記外部メディアの再生処理を行う際に、前記外部メディアに格納された音声データが音声再生可能なデータであるか否かを解析し、その結果、音声再生不可能なデータであった場合はその旨を報知する報知処理を行うことを特徴とする。
【発明の効果】
【００２２】
本発明に係る車載用再生システムによれば、複数のＵＳＢポートのそれぞれに挿着された外部メディアについて、ユーザが再生優先度を設定することにより、車載用再生装置又はＵＳＢハブの仕様に関わらず、所望の外部メディアを優先して再生することが可能となる。これにより、ユーザの意思が反映された使い勝手のよい動作環境を構築することが可能となる。
【発明を実施するための最良の形態】
【００２３】
以下、図面を参照しつつ、本発明の実施形態について説明する。
【００２４】
図１は、本実施形態の車載用再生システム１の全体構成を示すブロック図である。図１に示すように、車載用再生システム１は車載用再生装置２及びＵＳＢハブ３を備えて構成されている。
【００２５】
車載用再生装置２は制御部４、表示部５、操作部６、ＵＳＢ端子７、ＣＤドライブ８、出力部９を備えて構成されている。
【００２６】
制御部４は、ＣＰＵ４ａ、ＲＯＭ４ｂ及びＲＡＭ４ｃを備えて構成されている。
【００２７】
このうちＣＰＵ４ａは、ユーザの操作により操作部６から操作信号が送信されると、ＲＯＭ４ｂに記録されたオーディオプレーヤー用の各種制御プログラムやアプリケーションプログラムなどを読み出してＲＡＭ４ｃ内のプログラム格納領域に展開し、各種処理を実行して、この処理に際して生じる各種データをＲＡＭ４ｃ内に形成されるワークエリア（データ格納領域）に一時的に記憶させるようになっている。なお、本実施形態のＣＰＵ４ａの具体的構成については後述する。
【００２８】
ＲＯＭ４ｂは、ＣＰＵ４ａにより実行されるオーディオプレーヤー用の各種制御プログラムやその処理プログラムで処理されるデータなどを記憶するようになっている。
【００２９】
ＲＡＭ４ｃは、ＣＰＵ４ａが再生処理などの各種制御プログラムを実行する際に、図示しないプログラム格納領域にこれらのプログラムを展開するとともに、ＣＰＵ４ａがこれらの処理に際して読み取ったデータを図示しないデータ格納領域に格納するようになっている。
【００３０】
例えば、ＲＡＭ４ｃは、ＣＤドライブ８にディスクが装填されると、ディスクの最内周側の再生動作によって得られたＴＯＣ（Table Of Contents）情報を、データ格納領域に記録するようになっている。
【００３１】
表示部５は、ＬＣＤ（Liquid Crystal Display）などにより構成され、制御部４の制御に基づいて、所望の表示を行うようになっている。例えば、ＣＤドライブ８に装填されたディスク再生の進行時間、トラックナンバーなどのＴＯＣ情報や動作モードなどを表示するようになっている。
【００３２】
また、本実施形態の表示部５は、優先して再生する外部メディアの種類を設定する設定画面を表示するようになっている。この設定画面には、ユーザが優先して再生したい外部メディアの種類を選択するための選択ボタンが設けられている。ここで、ユーザが優先して再生したい外部メディアの種類は、例えば「ＵＳＢメモリ」や「ポータブルＨＤＤ」とすることが可能であり、また、それらを一括して「マスストレージ（大容量記憶媒体）」などとすることも可能である。なお、再生優先度の設定を設定画面の入力スペースへの文字入力によって行う構成とすることも可能である。
【００３３】
また、表示部５の表示画面は、ユーザが再生を希望する外部メディアの種類を限定できるように構成されている。すなわち、本実施形態の表示画面では、外部デバイスの種類を限定するための選択ボタンが表示されるようになっている。これにより、例えば、外部メディアのうちマスストレージクラスのメディアなどに限定して再生する設定を行うことが可能となる。
【００３４】
また、表示部５の表示画面において、ユーザが再生を希望する外部メディアの種類が限定されると、表示部５の表示画面にはーザが再生を希望する外部メディアの選択ボタンのみが表示されるようになっている。
【００３５】
更に、本実施形態の表示部５は、新たに挿着された外部メディアの再生優先度を設定するための設定画面を表示するようになっている。この設定画面には、選択ボタンが設けられており、「現在再生中のメディアを優先して再生する」モード又は「新たに挿着されたメディアを優先して再生する」モードのいずれかを選択することができるようになっている。
【００３６】
操作部６は、再生キー、停止キー、カーソルキーなどの各種キーを備えて構成され、ユーザの操作による操作信号を制御部４に出力するようになっている。例えば、表示部５にタグ情報を構成する各項目がメニュー表示された際、ユーザによるカーソルキーの操作に応じて選択項目を表示設定する信号を制御部４に出力するようになっている。
【００３７】
また、本実施形態の操作部６は、ユーザの操作によって、優先して再生する外部メディアの種類、再生を希望する外部メディアの種類又は新たに挿着された外部メディアの再生優先度などを設定することが可能な構成とされており、設定に応じた指示信号が制御部に出力されるようになっている。なお、操作部６はタッチパネルとして表示部５と一体に構成してもよい。
【００３８】
また、操作部６には、再生処理の対象となる外部メディアを切り替える切替手段としての切替スイッチが設けられている。
【００３９】
ＵＳＢ端子７は、ＵＳＢハブ３を接続することが可能なように構成されており、ＵＳＢハブ３を接続することにより、ＵＳＢハブ３のＵＳＢポート３ａ〜３ｄに挿着された各種の外部メディアと電気的に接続され、各種の外部メディアに格納された音声データを車載用再生装置２に読み出すことができるようになっている。
【００４０】
ＣＤドライブ８は、ＣＤ−ＲＯＭやＣＤ−ＴＥＸＴなどのディスクを装填することができるように構成されており、装填されたディスクを回転するスピンドルモータ、ディスクの信号を読む光ピックアップ、ディスクから読み出した信号を増幅し各種演算処理を施すＲＦアンプなどを備え、制御部４の制御により、読み出した信号を図示しないＤ／Ａ変換器及び増幅回路を介して出力部９から外部に出力するようになっている。
【００４１】
出力部９は、図示しないヘッドホン端子又は本体に内蔵されるスピーカなどを備えて構成されており、図示しない増幅回路で増幅された再生音声信号を外部に出力するようになっている。
【００４２】
次に、車載用再生システム１を構成するＵＳＢハブ３について説明する。
【００４３】
ＵＳＢハブ３は、複数の外部メディアを電気的に接続するための中継を行う装置であって、図１に示すように、複数の外部メディアをそれぞれ挿着するためのＵＳＢポート３ａ〜３ｄが設けられている。なお、本実施形態ではＵＳＢハブ３に４つのＵＳＢポート３ａ〜３ｄを設ける場合について説明するが、ＵＳＢポートは複数であればいくつ設けられていてもよい。
【００４４】
ＵＳＢポート３ａ〜３ｄに挿着される外部メディアには、ＵＳＢメモリ、ポータブルＨＤＤ、ＳＤカード及びメモリスティックなどあらゆるメディアが含まれる。
【００４５】
ここで、ＵＳＢポート３ａ〜３ｄに挿着された外部メディアの再生優先度は、車載用再生装置２又はＵＳＢハブ３の仕様によって異なる場合がある。本実施形態では、上述のように、再生優先度が同じ外部メディア又はユーザによって再生優先度が設定されていない外部メディアについては、車載用再生装置２又はＵＳＢハブ３の仕様に従って再生処理が行われるようになっている。
【００４６】
例えば、図２に示すＵＳＢハブ３では、ＵＳＢポート３ａ、ＵＳＢポート３ｃ、ＵＳＢポート３ｂ、ＵＳＢポート３ｄの順序で再生処理が行われるようになっている。
【００４７】
また、図３に示すＵＳＢハブ３では、ＵＳＢポート３ａ、ＵＳＢポート３ｂ、ＵＳＢポート３ｃ、ＵＳＢポート３ｄの順序で再生処理が行われるようになっている。
【００４８】
また、図４に示すＵＳＢハブ３では、ＵＳＢポート３ｂ、ＵＳＢポート３ｄ、ＵＳＢポート３ａ、ＵＳＢポート３ｃの順序で再生処理が行われるようになっている。
【００４９】
次に、本実施形態のＣＰＵ４ａの具体的構成について説明する。
【００５０】
ＣＰＵ４ａは、ＵＳＢハブ３のＵＳＢポート３ａ〜ＵＳＢポート３ｄに外部メディアが挿着されると、各外部メディアに格納された符号化音声データに付随するタグ情報のヘッダを解析して、ＵＳＢポート３ａ〜ＵＳＢポート３ｄのそれぞれに挿着された外部メディアの種類を判別するようになっている。
【００５１】
また、本実施形態のＣＰＵ４ａは、ＵＳＢポート３ａ〜ＵＳＢポート３ｄに挿着された外部メディアの種類の解析結果に基づき、操作部６から入力されたユーザが優先して再生したい外部メディアの種類に従って、外部メディアの再生優先度を決定するようになっている。
【００５２】
例えば、図５に示すように、車載用再生装置２のＵＳＢ端子７に接続されたＵＳＢハブ３において、ＵＳＢポート３ａに外部メディアとしてＵＳＢメモリ−Ａが挿着され、ＵＳＢポート３ｂにポータブルＨＤＤ−Ｂが挿着され、ＵＳＢポート３ｃにポータブルＨＤＤ−Ｄが挿着され、ＵＳＢポート３ｄにＵＳＢメモリ−Ｃが挿着されている場合を考える。
【００５３】
図５では、車載用再生装置２はＵＳＢハブ３への接続認識の順序に従って外部メディアを再生する仕様であり、ＵＳＢハブ３への接続認識はＵＳＢポート３ａ、ＵＳＢポート３ｂ、ＵＳＢポート３ｃ、ＵＳＢポート３ｄの順序となっているものとする。
【００５４】
図５の車載用再生装置２において、ユーザの操作により操作部６から「ＨＤＤを優先して再生する」という指示信号が入力されると、制御部４のＣＰＵ４ａは、ＵＳＢポート３ｂに挿着されたポータブルＨＤＤ−Ｂ及びＵＳＢポート３ｃに挿着されたポータブルＨＤＤ−Ｄの再生処理を優先するようになっている。更に、ＵＳＢハブ３への接続認識はＵＳＢポート３ｃよりＵＳＢポート３ｂが先であることから、ＵＳＢポート３ｂに挿着されたポータブルＨＤＤ−Ｂの再生処理を優先するようになっている。
【００５５】
また、ＣＰＵ４ａは、ユーザによって再生優先度が設定されていない外部メディアについては、車載用再生装置２又はＵＳＢハブ３の仕様に従って再生優先度を決定するようになっている。すなわち、ＵＳＢメモリ−Ａが挿着されたＵＳＢポート３ａ及びＵＳＢメモリ−Ｃが挿着されたＵＳＢポート３ｄのうち、ＵＳＢハブ３への接続認識はＵＳＢポート３ａが先となっていることから、ＵＳＢポート３ａに挿着されたＵＳＢメモリ−Ａの再生処理を優先するようになっている。
【００５６】
したがって、図５の例では、ＣＰＵ４ａは、再生優先度をポータブルＨＤＤ−Ｂ、ポータブルＨＤＤ−Ｄ、ＵＳＢメモリ−Ａ、ＵＳＢメモリ−Ｃの順として決定するようになっている。
【００５７】
また、本実施形態のＣＰＵ４ａは、ＵＳＢポート３ａ〜ＵＳＢポート３ｄに挿着された外部メディアの再生優先度が同じである場合は、再生処理中の外部メディアを優先して継続再生するようになっている。
【００５８】
また、ＣＰＵ４ａは、最も再生優先度が高い外部デバイスに音声再生可能なデータが格納されているか否かの解析を行い、音声再生可能なデータであった場合は、その音声データの再生処理を行うようになっている。
【００５９】
一方、ＣＰＵ４ａは、外部デバイスに格納された音声データが音声再生不可能なデータであった場合は、その旨を報知する報知処理を行うようになっている。ここで、報知処理とは音声再生不可能である旨をユーザに報知する処理であって、本実施形態では、表示部５の表示画面にメッセージを表示するようになっている。また、ＣＰＵ４ａは、音声再生不可能である外部デバイスの次に再生優先度が高い外部デバイスについて同様の解析を行い、音声再生可能なデータであれば再生処理を行うようになっている。
【００６０】
また、ＣＰＵ４ａは、表示部５の表示画面において、ユーザが再生を希望する外部メディアの種類が限定されると、操作部６の操作信号に基づき、表示部５の設定画面においてユーザが再生を希望する外部メディアのみを選択できるように表示を変更するようになっている。すなわち、表示部５の設定画面においてユーザが再生を希望する外部メディアの選択ボタンのみを表示させるようになっている。
【００６１】
例えば、ＵＳＢハブ３のＵＳＢポート３ａ〜ＵＳＢポート３ｄにＵＳＢメモリ（マスストレージクラス）、ポータブルＨＤＤ（マスストレージクラス）、携帯充電器及びＵＳＢ扇風機が挿着されている場合に、ユーザの操作により操作部６から「マスストレージデバイスを優先して再生する」という指示信号が入力されると、表示部５の設定画面にはＵＳＢメモリ及びポータブルＨＤＤの選択ボタンのみが表示される。
【００６２】
これにより、ＵＳＢポート３ａ〜ＵＳＢポート３ｄに携帯充電器やＵＳＢ扇風機などの音声再生不可能な外部データを装着したとしても、ユーザが再生を希望しない外部メディアについては、ＣＰＵ４ａによる音声再生可能なデータか否かの解析が行われないことから、再生可能なデータが存在しないなどのエラーを防止し、再生処理を効率的に行うことができる。
【００６３】
また、ＣＰＣ４ａは、ユーザの操作により操作部６から再生処理の対象となる外部メディアを切り替える指示信号が入力された場合は、再生処理の対象を切り替えるようになっている。
【００６４】
更に、ＣＰＵ４ａは、ＵＳＢポート３ａ〜ＵＳＢポート３ｄのいずれかに新たな外部メディアが挿着された場合は、操作部６における設定に従い、新たに挿着された外部メディア又は再生中の外部メディアのいずれかの再生処理を優先的に行うようになっている。
【００６５】
例えば、図６に示すように、車載用再生装置２のＵＳＢ端子７に接続されたＵＳＢハブ３において、ＵＳＢポート３ａに外部メディアとしてＵＳＢメモリ−Ａが挿着され、ＵＳＢポート３ｂにポータブルＨＤＤ−Ｂが挿着され、ＵＳＢメモリ−Ａの再生処理が行われている状態で、ＵＳＢポート３ｃにポータブルＨＤＤ−Ｄが新たに挿着される場合について考える。
【００６６】
図６の車載用再生装置２において、ユーザの操作により操作部６から「現在再生中のメディアを優先して再生する」という指示信号が入力されると、制御部４のＣＰＵ４ａは、ＵＳＢポート３ｃにポータブルＨＤＤ−Ｄが新たに挿着された場合でも、現在再生されているＵＳＢポート３ａのＵＳＢメモリ−Ａの再生処理を続行するようになっている。この場合、ポータブルＨＤＤ−Ｄを再生したい場合は、操作部６の切替スイッチを押下することにより再生対象を切り替える。
【００６７】
一方、ユーザの操作により操作部６から「新たに挿着されたメディアを優先して再生する」という指示信号が入力されると、制御部４のＣＰＵ４ａは、現在再生されているＵＳＢポート３ａのＵＳＢメモリ−Ａの再生処理を停止して、ＵＳＢポート３ｃのポータブルＨＤＤ−Ｄの再生処理を開始するようになっている。この場合、ＵＳＢメモリ−Ａを再生したい場合は、操作部６の切替スイッチを押下することにより再生対象を切り替える。
【００６８】
また、ＣＰＵ４ａは、操作部６の操作によるユーザの設定に従って、ＵＳＢポート３ａ〜ＵＳＢポート３ｄに新たな外部メディアが挿着された場合は、その再生優先度に関わらず、新たに挿着された外部メディアの再生処理を自動的に行う構成とすることも可能である。
【００６９】
また、ＣＰＵ４ａは、操作部６の操作によるユーザの設定に従って、ＵＳＢポート３ａ〜ＵＳＢポート３ｄに新たな外部メディアが挿着された場合でも、再生処理中の外部メディアを優先して自動的に継続再生する構成とすることも可能である。
【００７０】
また、ＣＰＵ４ａは、操作部６の操作によるユーザの設定に従って、ＵＳＢポート３ａ〜ＵＳＢポート３ｄに新たな外部メディアが挿着された場合は、再生処理中の外部メディアと比較して再生優先度が高いときに、新たに挿着された外部メディアの再生処理を自動的に行う構成とすることも可能である。
【００７１】
次に、本実施形態に係る車載用再生システム１の動作について説明する。
【００７２】
ユーザが表示部５の設定画面において操作部６の操作により優先して再生する外部メディアの種類を設定すると、操作部６はＣＰＵ４ａに操作信号を送信する。
【００７３】
続いて、ＣＰＵ４ａは、ＵＳＢポート３ａ〜ＵＳＢポート３ｄに挿着された外部メディアの種類の解析結果に基づき、操作部６から入力されたユーザが優先して再生したい外部メディアの種類に従って、外部メディアの再生優先度を決定する。
【００７４】
例えば、図５の例において、ＣＰＵ４ａが「ＨＤＤを優先して再生する」設定を行い、また、ＵＳＢハブ３がＵＳＢポート３ａ、ＵＳＢポート３ｂ、ＵＳＢポート３ｃ、ＵＳＢポート３ｄの順序で再生処理を行う仕様であるとすると、ＣＰＵ４ａは、再生優先度をポータブルＨＤＤ−Ｂ、ポータブルＨＤＤ−Ｄ、ＵＳＢメモリ−Ａ、ＵＳＢメモリ−Ｃの順として決定する。
【００７５】
また、本実施形態のＣＰＵ４ａは、ＵＳＢポート３ａ〜ＵＳＢポート３ｄに挿着された外部メディアの再生優先度が同じである場合は、再生処理中の外部メディアを優先して継続再生する。
【００７６】
次に、ＣＰＵ４ａは最も再生優先度が高い外部デバイスに音声再生可能なデータが格納されているか否かの解析を行い、音声再生可能なデータであった場合は、その音声データの再生処理を行う。
【００７７】
一方、ＣＰＵ４ａは、外部デバイスに格納された音声データが音声再生不可能なデータであった場合は、その旨を報知する報知処理を行う。また、ＣＰＵ４ａは、音声再生不可能である外部デバイスの次に再生優先度が高い外部デバイスについて同様の解析を行い、音声再生可能なデータであれば再生処理を行う。
【００７８】
また、ユーザが表示部５の設定画面において、操作部６の操作により再生を希望する外部デバイスの種類を限定すると、表示部５の設定画面においてユーザが再生を希望する外部メディアの選択ボタンのみを表示する。これにより、ユーザが再生を希望しない外部メディアは、音声再生可能であるか否かの解析を行うまでもなく再生されないことになる。
【００７９】
また、ユーザが表示部５の設定画面において操作部６の操作により新たに挿着された外部メディアの再生優先度を設定すると、操作部６はＣＰＵ４ａに操作信号を送信し、ＣＰＵ４ａは操作部６からの操作信号に従って、現在再生処理を行っている外部メディアに優先して新たな外部メディアの再生処理を行うか否かを設定する。すなわち、「現在再生中のメディアを優先して再生する」モード又は「新たに挿着されたメディアを優先して再生する」モードとする。
【００８０】
続いて、ＵＳＢポート３ａ〜ＵＳＢポート３ｄのいずれかに新たな外部メディアが挿着されると、ＣＰＵ４ａは、操作部６からの指示信号に基づき、ユーザが設定した優先度に従って再生処理を行う。
【００８１】
すなわち、図６の例においてＣＰＵ４ａが「新たに挿着されたメディアを優先して再生する」設定が行われている場合は、ＵＳＢポート３ｃに挿着されたポータブルＨＤＤ−Ｄの再生処理を優先して行う。この場合、ＵＳＢメモリを再生したい場合は、操作部６の切替スイッチを押下することにより再生対象を切り替える。
【００８２】
また、ＣＰＵ４ａは、ＵＳＢポート３ａ〜ＵＳＢポート３ｄに新たな外部メディアが挿着された場合は、その再生優先度に関わらず、新たに挿着された外部メディアの再生処理を自動的に行うこともできる。
【００８３】
また、ＣＰＵ４ａは、ＵＳＢポート３ａ〜ＵＳＢポート３ｄに新たな外部メディアが挿着された場合でも、再生処理中の外部メディアを優先して自動的に継続再生することもできる。
【００８４】
また、ＣＰＵ４ａは、ＵＳＢポート３ａ〜ＵＳＢポート３ｄに新たな外部メディアが挿着された場合は、再生処理中の外部メディアと比較して再生優先度が高いときに、新たに挿着された外部メディアの再生処理を自動的に行うこともできる。
【００８５】
以上のように、本実施形態に係る車載用再生システム１によれば、複数のＵＳＢポート３ａ〜３ｄのそれぞれに挿着された外部メディアについて、ユーザが再生優先度を設定することにより、車載用再生装置２又はＵＳＢハブ３の仕様に関わらず、所望の外部メディアを優先して再生することが可能となる。これにより、ユーザの意思が反映された使い勝手のよい動作環境を構築することが可能となる。
【００８６】
また、ＵＳＢポート３ａ〜３ｄに挿着された外部メディアの再生優先度が同じである場合は、再生処理中の外部メディアを優先して継続再生することにより、音声データの再生処理が停止するのを防止することができる。
【００８７】
また、ＵＳＢポート３ａ〜３ｄのいずれかに新たな外部メディアが挿着された場合に、ユーザが設定した再生優先度に従って、現在再生されている外部メディア又は新たに挿着された外部メディアを再生することにより、ユーザの意思が反映された使い勝手のよい動作環境を構築することが可能となる。
【００８８】
また、ＵＳＢポート３ａ〜３ｄのいずれかに新たな外部メディアが挿着された場合に、ユーザの設定に従い、再生優先度に関わらず新たに挿着された外部メディアを再生する、再生処理中の外部メディアを優先して継続再生する、再生処理中の外部メディアより再生優先度が高いときのみ再生するなどの処理を自動的に行うことにより、音声データの再生処理が停止するのを防止すると共に、ユーザの意思が反映された使い勝手のよい動作環境を構築することが可能となる。
【００８９】
また、ＵＳＢポート３ａ〜ＵＳＢポート３ｄに携帯充電器やＵＳＢ扇風機などの音声再生不可能な外部データを装着したとしても、ユーザが再生を希望しない外部メディアについては、ＣＰＵ４ａによる音声再生可能なデータか否かの解析を行うまでもなく再生が行われないことから、再生可能なデータが存在しないなどのエラーを防止し、再生処理を効率的に行うことができる。
【００９０】
また、外部メディアに格納された音声データが音声再生不可能なデータであった場合はその旨を報知する報知処理を行うことにより、ユーザがエラー内容を認識することが可能となり、使い勝手のよい動作環境を構築することが可能となる。
【００９１】
以上詳細に説明したように、本発明の車載用再生システムによれば、車載用再生装置及びＵＳＢハブを備えた車載用再生システムにおいて、車載用再生装置又はＵＳＢハブの仕様に関わらず、ＵＳＢハブに接続された複数の外部メディアを所望の順序で再生することが可能となる。
【図面の簡単な説明】
【００９２】
【図１】本実施形態に係る車載用再生システムの全体構成を示すブロック図である。
【図２】本実施形態に係るＵＳＢハブの構成例を示す平面図である。
【図３】本実施形態に係るＵＳＢハブの他の構成例を示す平面図である。
【図４】本実施形態に係るＵＳＢハブの他の構成例を示す平面図である。
【図５】本実施形態に係るＵＳＢハブ及び外部メディアの構成例を示す模式図である。
【図６】本実施形態に係るＵＳＢハブ及び外部メディアの他の構成例を示す模式図である。
【図７】従来のＵＳＢハブ及び外部メディアの構成を示す模式図である。
【符号の説明】
【００９３】
１  車載用再生システム
２  車載用再生装置
３  ＵＳＢハブ
３ａ〜３ｄ  ＵＳＢポート
４     制御部
５     表示部
６     操作部
７     ＵＳＢ端子
８     ＣＤドライブ
９     出力部
【図１】
2007179632.tif 000003
【図２】
2007179632.tif 000004
【図３】
2007179632.tif 000005
【図４】
2007179632.tif 000006
【図５】
2007179632.tif 000007
【図６】
2007179632.tif 000008
【図７】
2007179632.tif 000009